(57)【要約】【課題】棚板を２つに折り畳んで格納した際に、庫内奥まで有効スペースが確保できるようにする。【解決手段】少なくとも棚板２９の１つを前半棚２９ａと後半棚２９ｂに分割し、分割した棚板２９を上下二段の状態で上位側の棚板２９の下に格納状態で支持し、庫内奥まで広い有効スペースを確保する。【選択図】      図２
2004361040.tif 000002
【特許請求の範囲】
【請求項１】
庫内に複数配置されその内の少なくとも１つが前半棚と後半棚とに分割された棚板を有し、前記分割された棚板は、前半棚と後半棚が上下二段の状態で上位側の棚板の下に上昇移動した格納状態で支持されることを特徴とする冷凍冷蔵庫。
【請求項２】
庫内に複数配置されその内の少なくとも１つが前半棚と後半棚とに分割された棚板と、分割された棚板の前半棚が後半棚へ向けスライド移動し上下二段の状態で支持される棚板支持部と、上下二段の前半棚と後半棚が、上位側の棚板の下に上昇移動した格納状態で支持される棚板格納支持部とを備えていることを特徴とする冷凍冷蔵庫。
【請求項３】
前記棚板支持部と棚板格納支持部は、庫内の側壁に一体に設けられた連続する棚板ガイド溝となっていることを特徴とする請求項１記載の冷凍冷蔵庫。
【発明の詳細な説明】
【０００１】
【発明の属する技術分野】
この発明は、庫内に複数の棚板を備えた冷凍冷蔵庫に関する。
【０００２】
【従来の技術】
一般に冷蔵室の庫内には棚板が設けられ、棚板は食料品等を載せる食品棚として使用されている。
【０００３】
棚板は、多数の食料品が載せられるよう所定の間隔で複数配置され、棚板と棚板の間は、通常の食料品等が載せられるスペースを有している。このために、例えば、西瓜等のように径の大きいものを冷やす際には、例えば、棚板の１つを２つに折畳み庫内奥へ格納することで、広い庫内スペースが確保されるようになっている（特許文献１参照）。
【０００４】
【特許文献１】
特許第３３４２２６３号公報
【０００５】
【発明が解決しようとする課題】
広い庫内スペースを確保するには前記したように棚板の１つを２つに折畳み庫内奥へ格納するものであるが、その際、棚板は後壁面に沿って立てかけられた斜めの状態となる。斜めに立った棚板の下側は、垂直状態から前方へ突出する姿勢となるため、それがデットスペースとなって庫内奥側のスペースを有効利用できない不具合があった。
【０００６】
そこで、この発明は庫内奥まで有効利用が図れる広い庫内スペースが得られるようにした冷凍冷蔵庫を提供することを目的としている。
【０００７】
【課題を解決するための手段】
前記目的を達成するために、この発明の第１にあっては、庫内に複数配置されその内の少なくとも１つが前半棚と後半棚とに分割された棚板を有し、前記分割された棚板は、前半棚と後半棚が上下二段の状態で上位側の棚板の下に上昇移動した格納状態で支持されることを特徴とする。
【０００８】
これにより、前半棚と後半棚を上下二段の状態で上昇移動させた格納状態にできるため、棚板の１つを取外した状態で使用する使用状態と同じになる。この時、上下二段となった棚板分、上下方向の制約を受けるようになるが、庫内奥まで使用可能な有効スペースが確保されるようになる。
【０００９】
また、この発明の第２にあっては、庫内に複数配置されその内の少なくとも１つが前半棚と後半棚とに分割された棚板と、分割された棚板の前半棚が後半棚へ向けスライド移動し上下二段の状態で支持される棚板支持部と、上下二段の前半棚と後半棚が、上位側の棚板の下に上昇移動した格納状態で支持される棚板格納支持部とを備えていることを特徴とする。
【００１０】
これにより、棚板支持部によって前半棚と後半棚とを上下二段の状態とすることで、その棚板の前半側に上下方向にゆとりのある広い庫内スペースが確保される。
【００１１】
一方、棚板格納支持部によって前半棚と後半棚を上昇移動させた格納状態に支持させることで、上下二段となった棚板分、上下方向の制約を受けるようになるが、庫内奥まで使用可能な有効スペースが確保されるようになる。
【００１２】
この実施形態の場合、棚板支持部と棚板格納支持部を、庫内の側壁に一体に設けられた連続する棚板ガイド溝とすることが望ましい。
【００１３】
これにより、現状のガイド溝を発展させた形状とすればよいため、棚板ガイド溝の成形が容易となる。
【００１４】
【発明の実施の形態】
以下、図１乃至図９の図面を参照しながらこの発明の実施の形態について具体的に説明する。
【００１５】
図２は、この発明にかかる冷凍冷蔵庫１の概要断面図を示しており、内部は上方から冷蔵室３、野菜室５、第１、第２の冷凍室７、９となっている。冷蔵室３の前方は内側にドアポケット１１を有する回動式の扉１３、野菜室５および第１、第２の冷凍室７、９の前方は引出式の扉１５となっていて、各扉１３、１５を開けることで食品等の出し入れが可能となっている。
【００１６】
第１、第２の冷凍室７、９は、野菜室５との間に設けられた仕切壁１７によって独立した庫内となっている。その庫内には冷凍室用蒸発器１９からの冷気がファン２１によって送り込まれ、再び冷凍室用蒸発器１９を通る循環を繰返すことで庫内冷却が行なわれるようになっている。
【００１７】
冷蔵室３と野菜室５の各庫内には、冷蔵室用蒸発器２３からの冷気がファン２５によって送り込まれ、再び冷蔵室用蒸発器２３を通る循環を繰返すことで前記第１、第２の冷凍室７、９とは温度帯の異なる庫内冷却が行なわれるようになっている。
【００１８】
なお、冷凍室用蒸発器１９と冷蔵室用蒸発器２３は、圧縮機２７と図示していない凝縮器及び絞り装置とによって冷凍サイクルが構成され、各蒸発器１９、２３を空気が通過する時に、熱交換が行なわれるようになっている。
【００１９】
一方、冷蔵室３の庫内には複数の棚板２９が配置され、最下位の棚板２９の下方はチルド室３１となっている。
【００２０】
棚板２９は食料品を載せる食品棚として使用されるもので、所定の間隔で配置され、最下位から２番目の棚板２９を除き、各棚板２９は図３に示すように棚板支持部３３によってスライド自在に支持されている。
【００２１】
棚板支持部３３は前後（図２左右）方向に連続するガイド溝３５に成形され、前方へ引き出すことで各棚板２９の取外しが可能となっている。
【００２２】
最下位から２番目の棚板２９は、前半棚２９ａと後半棚２９ｂの２つに分割された構造となっていて、図４、図５に示すように棚板支持部３７、３９の外に棚板格納支持部４１とによって支持されるようになっている。
【００２３】
棚板支持部３７、３９と棚板格納支持部４１は、庫内の側壁４３に一体に連続し合う棚板ガイド溝４４に作られている。これにより、大きく変更することなく庫内となる内箱を成形する時に一緒の成形が可能となっている。
【００２４】
棚板支持部３７、３９は、前半棚２９ａと後半棚２９ｂとを前後に連続し合う一枚の食品棚として使用する状態と、庫内奥側に上下二段の状態として使用できるよう支持可能となっている。
【００２５】
具体的には、図４に示すように棚板支持部３７、３９は、第１ガイド溝４５、第２ガイド溝４７、第３ガイド溝４９とから成り、第１、第２、第３ガイド溝４５、４７、４９の内、第１、第２ガイド溝４５、４７は前後に連続するよう配置されている。したがって、第１ガイド溝４５に前半棚２９ａの両端に設けられた前後の係合部５１が、第２ガイド溝４７に後半棚２９ｂの両端に設けられた前後の係合部５３がそれぞれ位置することで、図５に示すように一枚の連続する食品板として使用可能となっている。
【００２６】
第３ガイド溝４９は第２ガイド溝４７の上方に配置され、図６に示すように前半棚２９ａが後半棚２９ｂへ向けスライド移動し、その係合部５１が前記第３ガイド溝４９内に位置することで、図７に示すように前半棚２９ａと後半棚２９ｂが上下二段となる使用状態が可能となっている。この場合、前半棚２９ａと後半棚２９ｂは上下に重なり合う状態であってもよく、若干離れた状態であってもよい。
【００２７】
一方、棚板格納支持部４１は、図８に示すように前記棚板支持部３７、３９と上下の連結溝５５を介して一体に連続し合う第４、第５ガイド溝５７、５９から成っている。
【００２８】
第４、第５ガイド溝５７、５９は、前後、図面左右方向に若干のずれを有して上下の関係に配置され、第４ガイド溝５７に前半棚２９ａの係合部５１が、第５ガイド溝５９内に後半棚２９ｂの係合部５３がそれぞれ位置することで、図９に示すように上位側に位置する棚板２９の下に上下二段の格納状態で支持されるようになっている。この場合、上下方向の有効スペースをより大きく確保するために前半棚２９ａと後半棚２９ｂは上下に重なり合う状態となることが望ましい。
【００２９】
このように構成された冷蔵室３の庫内を使用する時に、例えば、前半棚２９ａを後方へ移動し後半棚２９ｂの上に上下二段の状態とすることで、図７に示すように棚板２９の前半側に上下方向に広い庫内スペースＤを確保することが可能となり、背の高いものが入れられるようになる。
【００３０】
次に、図９に示すように、前半棚２９ａと後半棚２９ｂを上下二段の状態で上位側の棚板２９の下に上昇移動させた格納状態とすることで、棚板２９を一枚取外した状態と同じ状態で使用可能となる。
【００３１】
この時、前半棚２９ａと後半棚２９ｂの重ね合せ分、上下方向の制約を受けるようになるが庫内奥まで有効スペースＥが確保されるようになる。したがって、手前側には径の大きい西瓜や鍋等が何ら支障なく入れられるようになる。
【００３２】
【発明の効果】
以上、説明したように、この発明によれば、前半棚と後半棚を上下二段の状態で上位側の棚板の下に上昇移動させた格納状態として使用可能となるため、庫内奥まで有効スペースを確保することができる。また、棚板格納支持部によって前半棚と後半棚を上下二段の状態で上位側の棚板の下に上昇移動させた格納状態にできる一方、棚板支持部によって前半棚を後半棚の上に上下二段の状態で使用が可能となるため、棚板前半側に上下に広い庫内スペースを確保することができる。しかも、棚板支持部と棚板格納支持部は棚板ガイド溝となっているため成形が容易となる。
【図面の簡単な説明】
【図１】この発明にかかる冷凍冷蔵庫の概要斜視図。
【図２】冷凍冷蔵庫の概要切断面図。
【図３】棚板を支持する一方の棚板支持部の説明図。
【図４】前半棚と後半棚をほぼ水平な食品棚として使用する時の棚板支持部の状態を示した概要説明図。
【図５】前半棚と後半棚をほぼ水平な食品棚としての使用状態を示した概要説明図。
【図６】前半棚を後半棚の上に上下二段の状態として使用する時の棚板支持部の状態を示した概要説明図。
【図７】前半棚を後半棚の上に上下二段の状態として使用することで前半側に上下に広い庫内スペースを確保した状態の概要説明図。
【図８】前半棚と後半棚を上下二段の状態で上位側の棚板の下に上昇移動させた格納状態として使用する時の棚板格納支持部の状態を示した概要説明図。
【図９】前半棚と後半棚を上下二段の状態で上位側の棚板の下に上昇移動させた格納状態の概要説明図。
【符号の説明】
３  冷蔵室
２９  棚板
２９ａ  前半棚
２９ｂ  後半棚
３７、３９  棚板支持部
４１  棚板格納支持部
４４  棚板ガイド溝
【図１】
2004361040.tif 000003
【図２】
2004361040.tif 000004
【図３】
2004361040.tif 000005
【図４】
2004361040.tif 000006
【図５】
2004361040.tif 000007
【図６】
2004361040.tif 000008
【図７】
2004361040.tif 000009
【図８】
2004361040.tif 000010
【図９】
2004361040.tif 000011